(57)【要約】      （修正有）【課題】収容のための大きな空間を必要としない可動式のピットカバー装置を実現する。【解決手段】可動ステージを後方に移動する場合、作業者は、当該移動と連動して巻取装置８２でカバー部８１を巻き取りカバー部８１が構成するピットカバー部分を縮小する。また、この際、複数の梁部８３は、可動ステージの移動に伴って移動する移動ピットカバー部７によって、前方の梁部８３より順次後方に押されて移動していき、その間隔を順次狭める（ａ２、ｂ２）。一方、可動ステージを前方に移動すると、可動ステージに一端が固定されているカバー部８１が巻取装置８２から引き出されていく。また、複数の梁部８３は、移動ピットカバー部７との直接または他の梁部８３を介したワイヤ８４の連結により、前方の梁部８３より順次前方に引き出されていき、その間隔を順次、ワイヤ長によって設定した所定間隔まで広げていく（ａ１、ｂ１）。【選択図】図２
2007198875.tif 000002
【特許請求の範囲】
【請求項１】
自動車の車輪が載置されるローラを収容したピットに対して固定された前記ピット上面の一部を覆う固定ピットカバー部と、前記ローラの回転軸方向を左右方向とし前記ローラの回転軸と垂直かつ水平な方向を前後方向として、前記ピットに対して前後方向に移動可能に設置された前記ピット上面の一部を覆う移動ピットカバー部とを備えたシャシーダイナモメータの、前記ピット上面の前記移動ピットカバー部と固定ピットカバー部の間の前記移動ピットカバー部の移動に伴い前後方向長さが変化する部分を覆うピットカバー装置であって、
前記移動ピットカバー部と固定ピットカバー部の間において、前後方向に配列されて、前記ピットの上部に左右に架け渡された複数の梁部と、
前記複数の梁部によって支持された、前記ピット上面の前記移動ピットカバー部と固定ピットカバー部の間の部分を覆うカバー部とを有し、
前記複数の梁部の各々は、隣接する梁部との間の前後方向の間隔が可変となるように、前記ピットに対して前後方向に移動可能に設けられており、
前記カバー部は、前記ピットの上面を覆う部分の前後方向長さが可変となるように、当該カバー部の前記ピットの上面を覆う面を上下方向について、所定範囲内の任意量、重ねることができるように設けられていることを特徴とするシャシーダイナモメータのピットカバー装置。
【請求項２】
自動車の車輪が載置されるローラを収容したピットに対して固定された前記ピット上面の一部を覆う固定ピットカバー部と、前記ローラの回転軸方向を左右方向とし前記ローラの回転軸と垂直かつ水平な方向を前後方向として、前記ピットに対して前後方向に移動可能に設置された前記ピット上面の一部を覆う移動ピットカバー部とを備えたシャシーダイナモメータの、前記ピット上面の前記移動ピットカバー部と固定ピットカバー部の間の前記移動ピットカバー部の移動に伴い前後方向長さが変化する部分を覆うピットカバー装置であって、
前記移動ピットカバー部と固定ピットカバー部の間において、前後方向に配列されて、前記ピットの上部に左右に架け渡された複数の梁部材と、
前記複数の梁部材によって支持された、前記ピット上面の前記移動ピットカバー部と固定ピットカバー部の間の部分を覆う可撓性のあるシート状のカバー部と、
巻取装置とを有し、
前記複数の梁部材の各々は、隣接する梁部材との間の前後方向の間隔が可変となるように、前記ピットに対して前後方向に移動可能に設けられており、
前記巻取装置は、前記カバー部を左右方向を巻き取りの軸としてロール状に巻き取って、当該カバー部が前記ピットの上面を覆う部分の前後方向長さを変化させることを特徴とするシャシーダイナモメータのピットカバー装置。
【請求項３】
自動車の車輪が載置されるローラを収容したピットに対して固定された前記ピット上面の一部を覆う固定ピットカバー部と、前記ローラの回転軸方向を左右方向とし前記ローラの回転軸と垂直かつ水平な方向を前後方向として、前記ピットに対して前後方向に移動可能に設置された前記ピット上面の一部を覆う移動ピットカバー部とを備えたシャシーダイナモメータの、前記ピット上面の前記移動ピットカバー部と固定ピットカバー部の間の前記移動ピットカバー部の移動に伴い前後方向長さが変化する部分を覆うピットカバー装置であって、
前記移動ピットカバー部と固定ピットカバー部の間において、前後方向に配列されて、前記ピットの上部に左右に架け渡された複数の梁部材と、
前後方向に配列され、前記ピット上面の前記移動ピットカバー部と固定ピットカバー部の間の部分を覆う、各々前記の梁部材によって支持された複数のカバー板とを有し、
前記複数の梁部材の各々は、隣接する梁部材との間の前後方向の間隔が可変となるように、前記ピットに対して前後方向に移動可能に設けられており、
前記各カバー板は、前または後ろ方向のうちの一方の方向に隣接するカバー板上に第１の量重なった状態から、前記一方の方向に隣接するカバー板上に前記第１の量より小さな第２の量重なった状態まで、前記一方の方向に隣接するカバー板上に重なる量を変更可能に設けられており、前記各カバー板の前記一方の方向に隣接するカバー板上に重なる量を変更することにより、当該複数のカバー板が前記ピットの上面を覆う部分の前後方向長さが可変であることを特徴とするシャシーダイナモメータのピットカバー装置。
【請求項４】
自動車の車輪が載置されるローラを収容したピットに対して固定された前記ピット上面の一部を覆う固定ピットカバー部と、前記ローラの回転軸方向を左右方向とし前記ローラの回転軸と垂直かつ水平な方向を前後方向として、前記ピットに対して前後方向に移動可能に設置された前記ピット上面の一部を覆う移動ピットカバー部とを備えたシャシーダイナモメータの、前記ピット上面の前記移動ピットカバー部と固定ピットカバー部の間の前記移動ピットカバー部の移動に伴い前後方向長さが変化する部分を覆うピットカバー装置であって、
前記移動ピットカバー部と固定ピットカバー部の間に前後方向に配列された複数の、前後方向に移動可能に設けられたカバーユニットを有し、
前記各カバーユニットは、前記ピットの上部に左右に架け渡される梁部と、当該梁部の上部に配置された当該梁部によって支持され、前記ピット上面の前記移動ピットカバー部と固定ピットカバー部の間の部分の一部を覆う前記カバー部とを有し、
前記各カバーユニットは、前後への移動に伴い、前記カバー部が、前または後ろ方向のうちの一方の方向に隣接するカバーユニット上に第１の量重なった状態から、前記カバー部が、前記一方の方向に隣接するカバーユニット上に前記第１の量より小さな第２の量重なった状態または前記一方の方向に隣接するカバーユニット上に重ならない状態まで変化し、前記カバーユニットの移動によって当該複数のカバーユニットのカバー部が前記ピットの上面を覆う部分の前後方向長さが可変であることを特徴とするシャシーダイナモメータのピットカバー装置。
【発明の詳細な説明】
【技術分野】
【０００１】
本発明は、シャシーダイナモメータが収用されるピットの上面を覆う可動式のピットカバー装置に関するものである。
【背景技術】
【０００２】
シャシーダイナモメータで４輪駆動車の試験を行う場合、ホイールベース分の間隔をあけて配置した二つのローラの一方のローラ上に車両の前輪を、他方のローラ上に車両の後輪を載置して、その試験を行うことになる。また、このような４輪駆動車の試験を行うことのできるシャシーダイナモメータは、図５ａ、ｂに示すように、ピット５１内に配置した二つのローラ２、３のうちの一方のローラ２を可動式として構成されることがある。このようにすることにより、二つのローラ２、３の間隔を任意に調整でき、さまざまな車種のホイールベースに対応できるようになる。
【０００３】
そして、このようなシャシーダイナモメータが収用されるピット５１の上面を覆うピットカバー装置に関する技術としては、図５ａ、ｂに示すように、可動式のローラ２の移動に追従して、ピット５１内とピット５１上面の間で出入りを行う可撓性ある床５４を設ける技術が知られている（たとえば、特許文献１）。ここで、この可撓性ある床５４は、図５ａ、ｂに示すように、ピット上面に進出した部分が、ピット５１の上面を覆うピットカバーの一部を形成する。
【特許文献１】特開平８-１５２３８０号公報
【発明の開示】
【発明が解決しようとする課題】
【０００４】
前記特許文献１記載の技術によれば、可撓性ある床５４の収容に比較的大きな空間がピット５１内に必要となる。このため、この技術の適用は、シャシーダイナモメータの小型化の妨げとなる。
そこで、本発明は、収容のための大きな空間を必要としない可動式のピットカバー装置を提供することを課題とする。
【課題を解決するための手段】
【０００５】
前記課題達成のために、本発明は、自動車の車輪が載置されるローラを収容したピットに対して固定された前記ピット上面の一部を覆う固定ピットカバー部と、前記ローラの回転軸方向を左右方向とし前記ローラの回転軸と垂直かつ水平な方向を前後方向として、前記ピットに対して前後方向に移動可能に設置された前記ピット上面の一部を覆う移動ピットカバー部とを備えたシャシーダイナモメータの、前記ピット上面の前記移動ピットカバー部と固定ピットカバー部の間の前記移動ピットカバー部の移動に伴い前後方向長さが変化する部分を覆うピットカバー装置を、前記移動ピットカバー部と固定ピットカバー部の間において、前後方向に配列されて、前記ピットの上部に左右に架け渡された複数の梁部と、前記複数の梁部によって支持された、前記ピット上面の前記移動ピットカバー部と固定ピットカバー部の間の部分を覆うカバー部とより構成すると共に、前記複数の梁部の各々を、隣接する梁部との間の前後方向の間隔が可変となるように、前記ピットに対して前後方向に移動可能に設け、前記カバー部を、前記ピットの上面を覆う部分の前後方向長さが可変となるように、当該カバー部の前記ピットの上面を覆う面を上下方向について、所定範囲内の任意量、重ねることができるように設けたものである。
【０００６】
このようなピットカバー装置によれば、前記ピット上面の前記移動ピットカバー部と固定ピットカバー部の間の前記移動ピットカバー部の移動に伴い前後方向長さが変化する部分を覆う部分のピットカバーを、梁部によってカバー部を支える強固な構造を備えたピットカバーとして形成しつつ、ピットカバー装置の収容のための大きな空間の必要性を排除することができる。すなわち、このようなピットカバー装置は、梁部の前後間隔を狭めると共に、カバー部を当該カバー部の前記ピットの上面を覆う面を上下方向について重ねることにより、その形態をコンパクトな形態に変化させることができるので、ピットカバー装置の収容のためにピット内などに大きな空間を必要とすることがない。
【０００７】
ここで、より具体的には、このようなピットカバー装置は、前記移動ピットカバー部と固定ピットカバー部の間において、前後方向に配列されて、前記ピットの上部に左右に架け渡された複数の梁部材と、前記複数の梁部材によって支持された、前記ピット上面の前記移動ピットカバー部と固定ピットカバー部の間の部分を覆う可撓性のあるシート状のカバー部と、巻取装置とより構成し、前記複数の梁部材の各々を、隣接する梁部材との間の前後方向の間隔が可変となるように、前記ピットに対して前後方向に移動可能に設け、前記巻取装置において、前記カバー部を左右方向を巻き取りの軸としてロール状に巻き取って、当該カバー部が前記ピットの上面を覆う部分の前後方向長さを変化させるようにしてもよい。
【０００８】
または、前述したようなピットカバー装置は、具体的には、前記移動ピットカバー部と固定ピットカバー部の間において、前後方向に配列されて、前記ピットの上部に左右に架け渡された複数の梁部材と、前後方向に配列され、前記ピット上面の前記移動ピットカバー部と固定ピットカバー部の間の部分を覆う、各々前記の梁部材によって支持された複数のカバー板とより構成してもよい。ここで、この場合、前記複数の梁部材の各々は、隣接する梁部材との間の前後方向の間隔が可変となるように、前記ピットに対して前後方向に移動可能に設け、前記各カバー板は、前または後ろ方向のうちの一方の方向に隣接するカバー板上に第１の量重なった状態から、前記一方の方向に隣接するカバー板上に前記第１の量より小さな第２の量重なった状態まで、前記一方の方向に隣接するカバー板上に重なる量を変更可能に設け、前記各カバー板の前記一方の方向に隣接するカバー板上に重なる量を変更することにより、当該複数のカバー板が前記ピットの上面を覆う部分の前後方向長さが可変となるようにする。
【０００９】
または、前述したようなピットカバー装置は、具体的には、前記移動ピットカバー部と固定ピットカバー部の間に前後方向に配列された複数の、前後方向に移動可能に設けられたカバーユニットより構成するようにしてもよい。ただし、前記各カバーユニットは、前記ピットの上部に左右に架け渡される梁部と、当該梁部の上部に配置された当該梁部によって支持され、前記ピット上面の前記移動ピットカバー部と固定ピットカバー部の間の部分の一部を覆う前記カバー部とを有するものである。また、前記各カバーユニットは、前後への移動に伴い、前記カバー部が、前または後ろ方向のうちの一方の方向に隣接するカバーユニット上に第１の量重なった状態から、前記カバー部が、前記一方の方向に隣接するカバーユニット上に前記第１の量より小さな第２の量重なった状態または前記一方の方向に隣接するカバーユニット上に重ならない状態まで変化するように設ける。そして、前記カバーユニットの移動によって当該複数のカバーユニットのカバー部が前記ピットの上面を覆う部分の前後方向長さが可変となるようにする。
【発明の効果】
【００１０】
以上のように、本発明によれば、収容のための大きな空間を必要としないピットカバー装置を提供することができる。
【発明を実施するための最良の形態】
【００１１】
以下、本発明の実施形態について説明する。
図１に、本実施形態に係るシャシーダイナモメータの構成を模式的に示す。
ここで、図１ａはシャシーダイナモメータの上面模式図を、図１ｂ、ｃはシャシーダイナモメータの側面模式図を示している。
図示するように、このシャシーダイナモメータは、４輪駆動の自動車用のシャシーダイナモメータであり、ピット１上に自動車を進行させ、後輪と前輪とのうちの一方を第１ローラ２上に位置決めすると共に、後輪と前輪とのうちの第１ローラ２上に位置決めしなかった方を第２ローラ３上に位置決めした上で、自動車をピット１に対して固定し、固定した自動車を走行させながら第１ローラ２に連結した動力計や第２ローラ３に連結した動力計で自動車の各種特性を測定するものである。なお、このようなシャシーダイナモメータは、第１ローラ２上に後輪を載せ置き第２ローラ３上に前輪を載せ置くように構成することも、逆に、第１ローラ２上に前輪を載せ置き第２ローラ３上に後輪を載せ置くように構成することもできる。ただし、以下では説明の便宜上、図示するように、第１ローラ２上に後輪を載せ置き、第２ローラ３上に前輪を載せ置いて測定を行う場合を例にとり説明する。また、以下では、第１ローラ２上に後輪を載せ置き第２ローラ３上に前輪を載せ置いた自動車の前後方向をシャシーダイナモメータの前後方向、当該自動車の左右方向をシャシーダイナモメータの左右方向として説明を行う。
【００１２】
ここで、第２ローラ３はピット１に対して固定的に設置されているが、第１ローラ２は、図１ｂ，ｃに示したように、自動車のホイールベースに合わせて、ピット１に対して前後方向に移動可能に設けた可動ステージ４上に設置されている。また、シャシーダイナモメータは、この可動ステージ４をピット１に対して前後方向に移動するためのステージ移動部５を備えており、このステージ移動部５は、ピット１に固定されたモータ５１、モータ５１によって回転し可動ステージ４を前後に移動するボールネジ５２などより構成することできる。
【００１３】
また、ピット１の上面を覆うピットカバーは、第２ローラ３頂上部周辺のピットカバー部分と後方端の周辺のピットカバー部分を構成する、ピット１に対して固定された固定ピットカバー部６と、可動ステージ４に対して固定された第１ローラ２頂上部周辺のピットカバー部分を構成する移動ピットカバー部７と、ピット１に一端が可動ステージ４に他端が固定された、可動ステージ４の移動に伴って図１ｂ、ｃに示すように伸縮し、移動ピットカバー部７の前後に各々生じる、固定ピットカバー部６と移動ピットカバー部７との間の二つの隙間を各々覆う二つのピットカバー部分をそれぞれ構成する二つの伸縮ピットカバー装置８とより構成されている。
【００１４】
ここで、この二つの伸縮ピットカバー装置８は、前後方向について対称な構成を有している。以下、ピット１の後方側に設けられる伸縮ピットカバー装置８を例にとり、その構成を説明する。
図２に、ピット１の後方側に設けられる伸縮ピットカバー装置８の構成を示す。
図２ａ１は伸縮ピットカバー装置８の上面を模式的に表したものであり、図２ｂ１は伸縮ピットカバー装置８の側面を模式的に表したもので、図２ｃ１は伸縮ピットカバー装置８の図２ａ１中の断面線A-Aによる断面を模式的に表したものである。
図示するように、伸縮ピットカバー装置８は、一端が移動ピットカバー部７の後方端に固定された可撓性のあるシート状のカバー部８１と、当該伸縮ピットカバー装置８が覆う隙間の固定カバー部側端でピット１に固定設置された、カバー部８１を巻き取る巻取装置８２と、カバー部８１を支持する梁として機能する、左右端がピット１によって支持された複数の梁部８３とを有している。
【００１５】
ここで、この複数の梁部８３は、移動可能にピット１によって支持されている。また、複数の梁部８３は、ワイヤ８４で順次連結された状態で前後方向に配列されており、一番前側の梁部８３は、移動ピットカバー部７にワイヤ８４で連結されている。
さて、このような伸縮ピットカバー装置８の動作について説明する。
いま、図２ａ１、ｂ１、ｃ１に示した状態から、可動ステージ４を後方（図２ａ１、ｂ１における右方）に移動する場合、作業者は、当該移動と連動して巻取装置８２でカバー部８１を巻き取る。そうすると、図２ａ２、ｂ２に示すように、可動ステージ４の移動に伴う、固定ピットカバー部６と移動ピットカバー部７との間の隙間の縮小に伴いカバー部８１が構成するピットカバー部分も縮小していく。ここで、図２ａ２は伸縮ピットカバー装置８の上面を模式的に表したものであり、図２ｂ２は伸縮ピットカバー装置８の側面を模式的に表したものである。
【００１６】
一方、可動ステージ４を後方に移動すると、複数の梁部８３は、可動ステージ４の移動に伴って移動する移動ピットカバー部７によって、前方の梁部８３より順次後方に押されて移動していき、その間隔を順次狭めていく。
次に、この図２ａ２、ｂ２に示した状態から、可動ステージ４を前方（図２ａ２、ｂ２における左方）に移動する場合、作業者は、巻取装置８２をカバー部８１を自在に引き出させる状態とする。そうすると、図２ａ１、ｂ２に示すように、可動ステージ４の移動に伴い、可動ステージ４に一端が固定されているカバー部８１が巻取装置８２から引き出されていく。そして、これにより固定ピットカバー部６と移動ピットカバー部７との間の隙間の拡大に伴いカバー部８１が構成するピットカバー部分も拡大していく。
【００１７】
一方、可動ステージ４を前方に移動すると、複数の梁部８３は、可動ステージ４の移動に伴って移動する移動ピットカバー部７との直接または他の梁部８３を介したワイヤ８４の連結により、前方の梁部８３より順次前方に引き出されていき、その間隔を順次、ワイヤ長によって設定した所定間隔まで広げていく。
【００１８】
以上、本発明の実施形態について説明した。
ところで、以上の伸縮ピットカバー装置８は、以下のように構成するようにしてもよい。
すなわち、図３ａ、ｂに伸縮ピットカバー装置８の側面を模式的に表すように、伸縮ピットカバー装置８を、前後方向に配列した複数のカバー板９１と、カバー板９１を支持する梁として機能する、左右端がピット１によって支持された複数の梁部９２及び固定梁部９３とより構成するようにしてもよい。
【００１９】
ここで、複数のカバー板９１は、ワイヤ９４で順次連結された状態で前後方向に配列されており、一番前側のカバー板９１には、一番前側の梁部９２の前面と移動ピットカバー部７の後面とに当接する折曲部９１１が形成されている。また、図３ａに示した移動ピットカバー部７が最前方に移動した状態において、各カバー板９１の後方側端部が、一つ後ろ側のカバー板前方側端部の上に位置するように、各カバー板９１の大きさ、各カバー板９１の間のワイヤ９４の長さは設定されている。
【００２０】
また、複数の梁部９２は、移動可能にピット１によって支持されている。また、複数の梁部９２は、ワイヤ９５で順次連結された状態で前後方向に配列されており、一番前側の梁部９２は、移動ピットカバー部７にワイヤ９５で連結されている。
【００２１】
さて、このような伸縮ピットカバー装置８の動作について説明する。
いま、図３ａに示した状態から、可動ステージ４を後方（図３ａにおける右方）に移動すると、図３ｂに示すように、複数の梁部９２は、可動ステージ４の移動に伴って移動する移動ピットカバー部７によって、前方の梁部９２より順次後方に押されて移動していき、その間隔を順次狭めていく。また、複数のカバー板９１も、移動ピットカバー部７によって、前方のカバー板９１より順次後方に押されて、後方のカバー板９１の上に移動していく。そして、これにより、固定ピットカバー部６と移動ピットカバー部７との間の隙間の縮小に伴いカバー板９１が構成するピットカバー部分が縮小する。
【００２２】
次に、この図３ｂに示した状態から、可動ステージ４を前方（図３ｂにおける左方）に移動すると、図３ａに示すように、複数の梁部９２は、可動ステージ４の移動に伴って移動する移動ピットカバー部７との直接または他の梁部９２を介したワイヤ９５の連結により、前方の梁部９２より順次前方に引き出されていき、その間隔を順次、ワイヤ長によって設定した所定間隔まで広げていく。
【００２３】
また、一番前の梁部９２の前方への移動に伴って、一番前のカバー板９１は、一番前の梁部９２によって前方に押されて移動していき、残りのカバー板９１は、図３ａに示すように、一番前のカバー板９１の移動に伴い、一番前のカバー板９１との直接または他のカバー板９１を介したワイヤ９４の連結により、２番目のカバー板９１より順次前方に引き出されていき前方に展開する。そして、これにより、固定ピットカバー部６と移動ピットカバー部７との間の隙間の拡大に伴い、カバー板９１が構成するピットカバー部分が伸張する。
【００２４】
または、以上の伸縮ピットカバー装置８は、以下のように構成するようにしてもよい。
すなわち、図４ａ、ｂに伸縮ピットカバー装置８の側面を模式的に表すように、伸縮ピットカバー装置８を、前後方向に配列した複数の、左右端がピット１によって支持されたカバー金具９６より構成するようにしてもよい。
ここで、この複数のカバー金具９６は、ワイヤ９７で順次連結された状態で前後方向に配列されており、一番前側のカバー金具９６は、移動ピットカバー部７にワイヤ９７で連結されている。また、各カバー金具９６は、図４ｃに示すように、断面がくの字形状を構成する上側の腕９６１と下側の腕９６２よりなる金具である。また、各カバー金具９６は、図４ａに示すように展開した状態において、断面のくの字を形成する二つの腕のうちの上側の腕９６１がピットカバーの一部を形成し、形成されたピットカバーの一部を支える梁として、下側の腕９６２が機能する。また、図４ａに示した移動ピットカバー部７が最前方に移動した状態において、各カバー金具９６のピットカバーの一部を形成する上方の腕９６１の前方側端部が、一つ前側のカバー金具９６の上方の腕９６１の上に位置するように、各カバー金具９６の大きさと、移動ピットカバー部７と一番前のカバー金具９６間のワイヤ９７の長さ及び各カバー金具９６間のワイヤ９７の長さは設定されている。
【００２５】
さて、このような伸縮ピットカバー装置８の動作について説明する。
いま、図４ａに示した状態から、可動ステージ４を後方（図４ａにおける右方）に移動すると、図４ｂに示すように、複数のカバー金具９６は、可動ステージ４の移動に伴って移動する移動ピットカバー部７によって、前方のカバー金具９６より順次後方に押されて、各カバー金具９６のピットカバーの一部を形成する上方の腕９６１が後方のカバー金具９６の上方の腕９６１下に順次移動していくと共に、各カバー金具９６の梁として機能する下方の腕９６２の間隔が順次狭まっていく。そして、これにより、固定ピットカバー部６と移動ピットカバー部７との間の隙間の縮小に伴い、カバー金具９６が構成するピットカバー部分が縮小する。
【００２６】
次に、この図４ｂに示した状態から、可動ステージ４を前方（図４ｂにおける左方）に移動すると、図４ａに示すように、複数のカバー金具９６は、可動ステージ４の移動に伴って移動する移動ピットカバー部７との直接または他のカバー金具９６を介したワイヤ９７の連結により、前方のカバー金具９６より順次前方に引き出されていき、各カバー金具９６が、梁として機能する下方の腕９６２の間に前後の間隔をおいて配置され、上方の腕９６１の重なりが減少する。そして、これにより、上方の腕９６１によって形成されるピットカバー部分が、固定ピットカバー部６と移動ピットカバー部７との間の隙間の拡大に伴い伸張する。
【００２７】
また、以上の伸縮ピットカバー装置８は、以下のように構成するようにしてもよい。
すなわち、図４ｄ、ｅに伸縮ピットカバー装置８の側面を模式的に表すように、伸縮ピットカバー装置８を、前後方向に配列した複数の、左右端がピット１によって支持されたカバーユニット９８より構成するようにしてもよい。
ここで、各カバーユニット９８は図４ｆに側面を模式的に表すように、断面が下方に開いたコの字形状のベース部９８１の上面に、当該上面の前半分を覆うと共に当該上面から前方に突出するように平板９８２を固定した形状を有している。
そして、図４ｄ、ｅに示すように、各カバーユニット９８は、各カバーユニット９８のベース部９８１に遊嵌された連結棒９９によって隣接するカバーユニット９８と、前後に所定範囲内において移動可能に連結されている。また、一番前のカバーユニット９８のベース部９８１は、移動ピットカバー部７に連結されている。そして、各カバーユニット９８の平板９８２とベース部の露出した上面がピットカバーの一部を形成し、形成されたピットカバーの一部を支える梁としてベース部９８２が機能する。
【００２８】
さて、このような伸縮ピットカバー装置８の動作について説明する。
いま、図４ｄに示した状態から、可動ステージ４を後方（図４ｄにおける右方）に移動すると、図４ｅに示すように、複数のカバーユニット９８は、可動ステージ４の移動に伴って移動する移動ピットカバー部７によって、前方のカバーユニット９８より順次後方に押されて、各カバーユニット９８のベース部９８１の後部が、後方のカバーユニット９８の平板９８２の下に重なるように移動していく。そして、これにより、固定ピットカバー部６と移動ピットカバー部７との間の隙間の縮小に伴い、カバーユニット９８が構成するピットカバー部分が縮小する。
【００２９】
次に、この図４ｅに示した状態から、可動ステージ４を前方（図４ｅにおける左方）に移動すると、図４ｄに示すように、複数のカバーユニット９８は、可動ステージ４の移動に伴って移動する移動ピットカバー部７との直接または他のカバーユニット９８を介した連結棒９９による連結により、前方のカバーユニット９８より順次前方に引き出されていき、ベース部９８１間に前後の間隔をおいて配置される。そして、これにより、固定ピットカバー部６と移動ピットカバー部７との間の隙間の拡大に伴い、カバーユニット９８が構成するピットカバー部分が伸張する。
【００３０】
以上、本発明の実施形態について説明した。
以上のような各ピットカバー装置によれば、前記ピット１上面の移動ピットカバー部７と固定ピットカバー部６の間の移動ピットカバー部７の移動に伴い前後方向長さが変化する部分を覆う部分のピットカバーを、梁によってカバー面を支える強固な構造を備えたピットカバーとして形成しつつ、ピットカバー装置の収容のための大きな空間の必要性を排除することができる。すなわち、以上のような各ピットカバー装置は、梁として機能する部位の前後間隔を狭めると共に、カバーを形成する部位を、巻き取った成り重ね合わせることにより上下方向について重ねることにより、その形態を、コンパクトな形態に変化させることができるので、ピットカバー装置の収容のためにピット１内などに大きな空間を必要とすることがない。
【図面の簡単な説明】
【００３１】
【図１】本発明の実施形態に係るシャシーダイナモメータの構成を示す図である。
【図２】本発明の実施形態に係る伸縮ピットカバー装置の構成を示す図である。
【図３】本発明の実施形態に係る伸縮ピットカバー装置の構成を示す図である。
【図４】本発明の実施形態に係る伸縮ピットカバー装置の構成を示す図である。
【図５】従来のピットカバー装置の構成を示す図である。
【符号の説明】
【００３２】
１…ピット、２…第１ローラ、３…第２ローラ、４…可動ステージ、５…ステージ移動部、６…固定ピットカバー部、７…移動ピットカバー部、８…伸縮ピットカバー装置、５１…モータ、５２…ボールネジ、８１…カバー部、８２…巻取装置、８３…梁部、８４…ワイヤ、９１…カバー板、９２…梁部、９３…固定梁部、９４…ワイヤ、９５…ワイヤ、９６…カバー金具、９７…ワイヤ、９８…カバーユニット、９９…連結棒。
【図１】
2007198875.tif 000003
【図２】
2007198875.tif 000004
【図３】
2007198875.tif 000005
【図４】
2007198875.tif 000006
【図５】
2007198875.tif 000007